(57)【要約】【課題】球供給路のパチンコ球の流下を阻止する球止手段を備えた球抜装置が設けられたパチンコ遊技機を提供する。【解決手段】球タンク２０のパチンコ球を球払出装置２４に自重で流下させる球供給路３５と、前記球供給路３５の途中に開設される球抜口４１と、前記球抜口４１と連通して設けられる球抜路４２と、前記球供給路３５のパチンコ球を前記球抜路４２に排出させる球抜装置４５が設けられたパチンコ遊技機であって、前記球抜装置４５は、前記球抜口４１を開閉するように設けた可動弁板４３と、前記可動弁板４３を所定位置に保持するロック部材４４とを備え、前記球供給路３５内に突出しパチンコ球の流下を一時的に阻止させる球止手段６５を前記球抜装置４５に兼備してなる。【選択図】  図９
2004154184.tif 000002
【特許請求の範囲】
【請求項１】
球タンクのパチンコ球を球払出装置に自重で流下させる球供給路と、前記球供給路の途中に開設される球抜口と、前記球抜口と連通して設けられる球抜路と、前記球供給路のパチンコ球を前記球抜路に排出させる球抜装置が設けられたパチンコ遊技機であって、
前記球抜装置は、前記球抜口を開閉するように設けた可動弁板と、前記可動弁板を所定位置に保持するロック部材とを備え、
前記球供給路内に突出しパチンコ球の流下を一時的に阻止させる球止手段を前記球抜装置に兼備してなることを特徴としたパチンコ遊技機。
【請求項２】
球タンクのパチンコ球を球払出装置に自重で流下させる球供給路と、前記球供給路の途中に開設される球抜口と、前記球抜口と連通して設けられる球抜路と、前記球供給路のパチンコ球を前記球抜路に排出させる球抜装置が設けられたパチンコ遊技機であって、
前記球抜装置は、前記球抜口に軸支される可動弁板と、前記可動弁板を所定位置に保持するロック部材とを備え、
前記可動弁板は前記球抜口を閉塞する閉止状態と前記球抜口を開放する球抜状態と前記球供給路内に突出する球止状態とに変位自在に設けると共に、前記ロック部材により前記可動弁板が閉止状態または球止状態に保持されるようにしたことを特徴とするパチンコ遊技機。
【請求項３】
球タンクのパチンコ球を球払出装置に自重で流下させる球供給路と、前記球供給路の途中に開設された球抜口と、前記球抜口と連通して設けられる球抜路と、前記球供給路のパチンコ球を前記球抜路に排出させる球抜装置が設けられたパチンコ遊技機であって、
前記球抜装置は、前記球抜口を開閉するように設けた可動弁板と、前記可動弁板を常態で閉状態に保持するロック部材とを備え、
前記ロック部材に球止片を設けると共に、前記球供給路に前記球止片が突出する開口を開設し、前記可動弁板に前記ロック部材を球止状態に保持する保持部を設けたことを特徴とするパチンコ遊技機。
【請求項４】
球タンクのパチンコ球を球払出装置に自重で流下させる球供給路と、前記球供給路の途中に開設される球抜口と、前記球抜口と連通して設けられる球抜路と、前記球供給路のパチンコ球を前記球抜路に排出させる球抜装置が設けられたパチンコ遊技機であって、
前記球抜装置は、前記球抜口を開閉するように可動弁板を支軸に枢着すると共に、前記可動弁板に球止片を形成し、前記可動弁板を前記支軸に沿って移動することにより前記球止片を球供給路内に突出させてパチンコ球の流下を阻止するようにしたことを特徴とするパチンコ遊技機。
【請求項５】
前記球止片は、前記球供給路に連続して待機するパチンコ球間に突出するように位置して設けたことを特徴とする請求項３又は４記載のパチンコ遊技機。
【発明の詳細な説明】
【０００１】
【発明の属する技術分野】
本発明は、球払出装置にパチンコ球を供給する球供給路の途中に球抜装置が設けられるパチンコ遊技機に関するものである。
【０００２】
【従来の技術】
従来、球払出装置にパチンコ球を供給する球供給路には、該球供給路のパチンコ球を抜取るために球抜口を開設して球抜装置が設けられており、該球抜装置としては、前記球抜口を閉塞する球抜板と該球抜板を係止保持及び解除する操作片とで構成され、前記操作片をパチンコ遊技機の前面側から操作することにより球抜板をフリー状態にして球抜きを行い、球抜き終了後再度操作片を操作することにより球抜板が球抜口を閉塞するように係止保持していた。また、球供給路には球払出装置の修理交換時に球供給路のパチンコ球の流下を阻止する球止手段が設けられている（例えば、特許文献１参照。）。
【０００３】
【特許文献１】
特開平１０−１９２５０９号公報
【０００４】
【発明が解決しようとする課題】
しかしながら、従来の技術で述べたパチンコ遊技機においては、球止手段と球抜手段とをそれぞれ別々に設けられているために、当然部品点数が増えてコスト高となり、組付けが面倒であった。
【０００５】
本発明は、上記の点に鑑みてなされたもので、その目的とするところは、球抜機能と球止機能とを球抜装置に備えたパチンコ遊技機を提供するものである。
【０００６】
【課題を解決するための手段】
上記の目的を達成するために、請求項１記載の発明は、球タンクのパチンコ球を球払出装置に自重で流下させる球供給路と、前記球供給路の途中に開設される球抜口と、前記球抜口と連通して設けられる球抜路と、前記球供給路のパチンコ球を前記球抜路に排出させる球抜装置が設けられたパチンコ遊技機であって、前記球抜装置は、前記球抜口を開閉するように設けた可動弁板と、前記可動弁板を所定位置に保持するロック部材とを備え、前記球供給路内に突出しパチンコ球の流下を一時的に阻止させる球止手段を前記球抜装置に兼備してなることを特徴とした。ここでいう「球供給路の途中」とは球供給路の始端部から終端部すべての部位をいう。従って、この「球供給路の途中」には球払出装置との接続部も含まれる。
【０００７】
前記可動弁板を球抜き動作と異なる方向に作動させることで球止めを可能とするのがよい。例えば、球抜操作により球荷重が掛かり、可動弁板が回動する方向と異なる方向、つまり下方に対しては前後又は上方、右側方に対しては左側方又は前後方向に移動させるようにすればよい。
【０００８】
請求項２記載の発明は、球タンクのパチンコ球を球払出装置に自重で流下させる球供給路と、前記球供給路の途中に開設される球抜口と、前記球抜口と連通して設けられる球抜路と、前記球供給路のパチンコ球を前記球抜路に排出させる球抜装置が設けられたパチンコ遊技機であって、前記球抜装置は、前記球抜口に軸支される可動弁板と、前記可動弁板を所定位置に保持するロック部材とを備え、前記可動弁板は前記球抜口を閉塞する閉止状態と前記球抜口を開放する球抜状態と前記球供給路内に突出する球止状態とに変位自在に設けると共に、前記ロック部材により前記可動弁板が閉止状態または球止状態に保持されるようにしたことを特徴とする。前記球止状態とは、前記可動弁板を球供給路内に進入することで球供給路の通路幅をパチンコ球の径より小として、前記球供給路のパチンコ球の流下を阻止するようにした。
【０００９】
前記球供給路の側壁に前記可動弁板が嵌る溝部を形成し、前記可動弁板を前記溝部に嵌めることにより球抜方向への可動を阻止すると共に前記球止片が球供給路内に進入するようにするのがよい。
【００１０】
請求項３記載の発明は、球タンクのパチンコ球を球払出装置に自重で流下させる球供給路と、前記球供給路の途中に開設された球抜口と、前記球抜口と連通して設けられる球抜路と、前記球供給路のパチンコ球を前記球抜路に排出させる球抜装置が設けられたパチンコ遊技機であって、前記球抜装置は、前記球抜口を開閉するように設けた可動弁板と、前記可動弁板を常態で閉状態に保持するロック部材とを備え、前記ロック部材に球止片を設けると共に、前記球供給路に前記球止片が突出する開口を開設し、前記可動弁板に前記ロック部材を球止状態に保持する保持部を設けたことを特徴とする。
【００１１】
請求項４記載の発明は、球タンクのパチンコ球を球払出装置に自重で流下させる球供給路と、前記球供給路の途中に開設される球抜口と、前記球抜口と連通して設けられる球抜路と、前記球供給路のパチンコ球を前記球抜路に排出させる球抜装置が設けられたパチンコ遊技機であって、前記球抜装置は、前記球抜口を開閉するように可動弁板を支軸に枢着すると共に、前記可動弁板に球止片を形成し、前記可動弁板を前記支軸に沿って移動することにより前記球止片を球供給路内に突出させてパチンコ球の流下を阻止するようにしたことを特徴とする。常態では前記球止片は球供給路から後退し、前記可動弁板を球抜き方向と異なる方向に移動させて前記球止片を球供給路内に進入させることにより、前記球供給路のパチンコ球の流下を阻止するようにした。
【００１２】
請求項５記載の発明は、請求項３又は４記載の発明において、前記球止片は、前記球供給路に連続して待機するパチンコ球間に突出するように位置して設けたことを特徴とし、球止片が確実に球間に突出して球止めすることができる。
【００１３】
前記ロック部材に前記可動弁板の球止状態を保持する係止部を形成するのが好ましく、確実に球止状態を保持することができる。
【００１４】
前記球抜装置は、パチンコ球が連続して流下する球供給路に開設される球抜口と、該球抜口を閉塞する第一位置と球荷重により球抜口を開放する第二位置とに変位自在に設けられ常には第一位置に付勢される可動弁板と、該可動弁板を第一位置に拘束又は解除するロック部材と、前記可動弁板が第二位置に変位した状態において前記ロック部材の移動軌跡内に干渉する復動阻止手段とを備え、前記ロック部材の解除操作によって前記可動弁板が球荷重により第二位置に変位すると共に前記復動阻止手段が前記ロック部材の復動を阻止し、球抜きが終了して前記可動弁板が第一位置に変位すると共に前記復動阻止手段が前記ロック部材の移動軌跡内から後退することにより前記ロック部材が復動し可動弁板の第一位置を拘束するようにするのがよい。
【００１５】
前記可動弁板は自重により球抜口を閉塞する位置に復動するようにするのが好ましい。また、前記可動弁板はパチンコ球１個の球荷重により可動するようにするのがよい。
【００１６】
前記ロック部材は自重により可動弁板を球抜口の閉塞状態に拘束する位置に復動するようにするのが好ましい。また、前記ロック部材に前記可動弁板を閉状態に拘束する位置決め手段を設けるのが好ましい。
【００１７】
前記可動弁板及びロック部材は支軸により揺動自在に装着するのがよく、前記可動弁板には該可動弁板が揺動する球抜状態において、前記ロック部材の揺動面内に干渉する復動阻止手段としての復動阻止部が設けられ、該復動阻止部によりロック部材の復動が阻止され、球抜き終了時に該復動阻止部がロック部材の揺動面内から後退することによりロック部材が復動するのが好ましい。
【００１８】
また、前記ロック部材をパチンコ遊技機の前面側から操作するようにするのが好ましく、パチンコ遊技機の前面に設けた操作開口から差し込む操作棒等によりロック部材を作用させるのがよい。
【００１９】
また、前記ロック部材及び可動弁板はスプリング等の付勢部材の付勢力により球抜口を閉塞または保持する位置に復動するようにするようにしてもよい。
【００２０】
また、前記ロック部材を直線的に移動自在に設けるようにしてもよく、常には下方に位置して可動弁板と接触係合し、球抜操作により上方に移動して可動弁板により復動を阻止され、可動弁板の復動によりロック部材を復動可能とすればよい。
【００２１】
【発明の実施の形態】
以下本発明に係るパチンコ遊技機の実施の形態を図面に基づき説明する。図１はパチンコ遊技機の正面図、図２パチンコ遊技機の裏面図である。図において、１はパチンコ遊技機の機枠、２は機枠１の前面に開閉自在に装着される額縁状に形成された前面枠、３は該前面枠２の後側に設けられた遊技盤取付枠４を介して着脱自在に装着される遊技盤である。前記額縁状に形成された前面枠２の前面に遊技盤３の上方部を覆うガラス扉枠５及び前板６が開閉自在に装着されており、該前板６には貯留部にパチンコ球を貯めて発射レールに打球を供給する上部球受皿７が設けられている。また、前記前面枠２の下部前面には上部球受皿７から溢出した余剰球を貯留する下部球受皿８及び発射レールから発射されるパチンコ球の弾発力を調節する操作ハンドル１０が装着されている。前記遊技盤３には可変表示装置１２等の盤面部品のほかに球切れ報知ランプ１３等の飾り部材が装着されている。１１は後述する球抜きを行う操作開口であり、ガラス扉枠５及び前面枠２，遊技盤取付枠４を貫通して設けられる。
【００２２】
そして、前記遊技盤３の後面に開口窓１６を開口した機構板１５が装着される。前記開口窓１６の裏面上部にはパチンコ球を貯留する球タンク２０が設けられており、該球タンク２０の球出口から導出されたパチンコ球を整列して球払出装置２４に導く球誘導樋２２及び屈曲誘導樋２３が設けられる。球誘導樋２２及び屈曲誘導樋２３には、自重で流下させるべく球供給路３１，３５が設けられている。なお、本実施の形態において球タンク２０，球誘導樋２２及び屈曲誘導樋２３，球払出装置２４を機構板１５に設けるようにしたが、前面枠２側に直接設けるようにしてもよい。さらに、球タンク２０を介さず補給樋等から直接球誘導樋２２及び屈曲誘導樋２３にパチンコ球を供給するようにしてもよい。
【００２３】
前記球払出装置２４の下方には、該球払出装置２４から払出されたパチンコ球を前記上部球受皿７の貯留部に導く球排出樋２５と、該上部球受皿７にパチンコ球が充満したとき、その余剰球を下部球受皿８の貯留部に導く余剰球通路２６が後面を開口した樋状として形成されており、その後面開口がカバー板２７によって覆われている。また、機構板１５の下方には入賞球を集合する入賞球集合部２８が形成されている。
【００２４】
前記球誘導樋２２は、図７に示されるように長手方向に沿って設けられる仕切壁３０によって上面が開口した２条の球供給路３１，３１が形成されている。一方、前記屈曲誘導樋２３は図３乃至図８に示されるように機構板１５に当接する外板３２と裏板３３との間に仕切壁３４を設けて球誘導樋２２の球供給路３１，３１に連通する２条の球供給路３５，３５が形成され、該球供給路３５，３５にパチンコ球が貯留される。
【００２５】
各球供給路３５，３５には上部に径の大きい湾曲通路部３５ａ，３５ａが設けられ、その下部に垂直通路部３５ｂ，３５ｂ、さらにその下部にくの字形の屈曲通路部３５ｃ，３５ｃが形成されており、前記湾曲通路部３５ａ，３５ａの外周面を切欠いた開口３６を塞ぐ位置には軸３８により弧状の球切れ検知用レバー３７，３７が揺動自在に設けられている。また、該球切れ検知用レバー３７，３７の後面に遮蔽板３９を備え、図６鎖線に示す球切れ時に後述する球切れ検知スイッチとしての光電式スイッチ４０を遮るようにしている。前記光電式スイッチ４０は、投光部から受光部に向かう光軸を遮ることにより検出信号が発信され前記球切れ報知ランプ１３を点灯又は点滅して球切れを報知するようにしたものである。さらに、球供給路３５の途中であり各球切れ検知用レバー３７，３７の下端と前記垂直通路部３５ｂ，３５ｂの一側壁３５１上端との間の底面に両球供給路３５，３５に共通した球抜口４１が開設されており、該球抜口４１の下方に球抜路４２が設けられている。また、球抜口４１には、可動弁板４３及び該可動弁板４３を所定位置に保持するロック部材４４からなる球抜装置４５が設けられ、該球抜装置４５はパチンコ球の流下を一時的に阻止させる球止手段６５を兼備している。４６は球抜装置４５部分を覆うカバー部材であって、前記球切れ検知用の光電式スイッチ４０の誤作動を防止するため黒色の樹脂により形成されている。
また、前記カバー部材４６の上部には前記操作開口１１から差し込まれる操作棒Ｓのガイド溝４７が形成されている。なお、前記球切れ検知スイッチ４０は、リミットスイッチ又は電磁式，静電容量式等の検知形式のセンサを使用することも可能である。
【００２６】
前記可動弁板４３は、板状部４３ａと重錘部４９によりへ字状に形成され、前記球抜口４１を開閉するように支軸４８に回動自在に枢着され、前記球抜口４１を閉塞する第一位置と、球抜口４１を開放する第二位置と、球供給路３５のパチンコ球の流下を阻止する第三位置とに変位自在に設けられる。常には自重により球抜口４１を閉塞するように付勢され、板状部４３ａ上面に乗る球荷重により図６鎖線のように下向きに回動して第二位置に変位する。そして、球抜きが終了して板状部４３ａ上面にパチンコ球が乗らなくなり球荷重から解放されると、重錘部４９の付勢力で図６実線の球抜口４１を閉じる第一位置に回動復帰するようになっている。
【００２７】
また、可動弁板４３の板状部４３ａ上面には、球供給路３５，３５の下流側を低くした傾斜状の段部５０を設けている。該段部５０より下流側の下流板部はパチンコ球が１個乗る程度の広さに形成され、球タンク２０から球払出装置２４にパチンコ球が導かれ、屈曲誘導樋２３内に複数のパチンコ球が連続している状態では、前記可動弁板４３の下流板部上面にちょうどパチンコ球１個が載る状態となっている。そして、可動弁板４３の板状部４３ａが位置する球供給路３５，３５の上側壁３５２に、前記段部５０と対向させてほぼ同じ形状の段部５１が設けられている。また、可動弁板４３の先端部は鉤状に屈曲して、その先端が垂直通路部３５ｂ，３５ｂの一側壁３５１上端とほぼ合致する位置にある。そして、球荷重により可動弁板４３の板状部４３ａが撓んでも、該板状部４３ａの先端部が垂直通路部３５ｂ，３５ｂの一側壁３５１上端より上方に位置して、パチンコ球の流下に支障をきたさないようにしている。つまり、可動弁板４３の先端屈曲部は、可動弁板４３の撓み範囲の長さに設定されている。なお、重錘部４９の重さは、可動弁板４３の板状部４３ａ上面に載るパチンコ球１個の荷重で、可動弁板４３が回動する重さが選ばれる。また、可動弁板４３の側方に位置して、前記ロック部材４４と係合すると共に、ロック部材４４の揺動面内に干渉して復動を阻止する復動阻止手段としてのカム片５３が設けられている。該カム片５３は、ロック部材４４と係合する係合部５３ａと、可動弁板４３が第二位置に変位中においてロック部材４４の揺動面内に干渉して復動を阻止する復動阻止部５３ｂと、可動弁板４３が球止位置でロック部材４４に係合する係合部５３ｃを有している。また、カム片５３には、可動弁板４３を球止位置に操作する操作部５３ｄが設けられている。前記復動阻止部５３ｂは、可動弁板４３が第二位置に変位中においては、常にロック部材４４の揺動面内に位置する形状大きさが選ばれる。
【００２８】
一方、前記ロック部材４４は、後側壁３３の後面に位置して前記検知用レバー３７，３７と同軸上３８に、上下方向へ回動自在に設けられており、全体形状をほぼ逆Ｌ字状として、下端に前記可動弁板４３の係合部５３ａに係合する係止部５４が軸３８を中心とした円弧状に形成され、軸部を介して操作片５５が設けられる。前記操作片５５は、図７及び図８に示すように前面側を傾斜面５５ａとしており、前記操作開口１１から挿通される操作棒Ｓの押圧により、ロック部材４４が図５矢印に示す反時計回りに回動するようにしている。
【００２９】
常態において、前記可動弁板４３は、自重により図６実線位置に回動付勢されて球供給路３５側へ入り込もうとするも、カム片５３の係合部５３ａと係止部５４との係合により回動規制されて、可動弁板４３を球抜口４１が閉じる第一位置に拘束している。一方、前記規制部材４４は自重により回動付勢されており、カバー体５６に設けた位置決め手段としての規制片５７により、係止部５４が係合部５３ａに対向位置すると共に操作片５５が前記操作開口１１に位置するように常態位置を規制している。このとき可動弁板４３は、前記係合部５３ａの接触端部がロック部材４４及び可動弁板４３の揺動軸３８，４８を結ぶ直線より外側に位置して球抜方向への回動を阻止している。一方、ロック部材４４は、前記カム片５３が回転軸３８を中心としたロック部材４４の移動軌跡である円弧面内に干渉しないことから操作可能状態にある。なお、前記可動弁板４３の第一位置を位置決めする位置決め手段を別途設けるようにしてもよい。
【００３０】
次に球抜操作について説明する。各球供給路３５，３５にパチンコ球が貯留された状態で、図７及び図８に示すようにパチンコ遊技機の前面に設けられた操作開口１１に針金等の操作棒Ｓを挿通する。すると、操作棒Ｓの先端部がカバー部材４６のガイド溝４７を介して操作片５５の傾斜面５５ａに当接押圧する。この押圧作用により、ロック部材４４は図５に示すように反時計回りに回動して、係止部５４と係合部５３ａとの接触係合を解除し、可動弁板４３がフリー状態となる。そして、図６鎖線に示すように可動弁板４３がフリー状態となると、板状部４３ａ上のパチンコ球の荷重により、可動弁板４３が球抜口４１を開放する第二位置に回動変位して、前記板状部４３ａの下流板部上面に乗るパチンコ球が後続のパチンコ球によって下方へ押し出され先頭で球抜口４１を落下する。さらに、後続するパチンコ球がこれに続きほぼ一列になって球抜路４２に落下する。このように、球抜路４２の入口部付近にパチンコ球が団子状になだれ込んで球詰りすることなく、パチンコ球が球抜路４２へ落下して球抜きされる。このとき、ロック部材４４は自重により復動しようとするも、該ロック部材４４の移動軌跡内に可動弁板４３のカム片５３が回動して、係合部５３ａ及び復動阻止部５３ｂが干渉することにより、該復動阻止部５３ｂにロック部材４４が接触してロック部材４４の復動が阻止される。このとき、ロック部材４４の荷重は当然のことながら可動弁板４３の第一位置への復動変位を阻止しない荷重が選ばれる。
【００３１】
そして、球抜きされて球タンク２０及び球誘導樋２２の貯留球がなくなると、板状部４３ａが球荷重から解放されて、可動弁板４３が自重により球抜口４１を閉塞する第一位置に復動変位すると共に復動阻止部５３ｂがロック部材４４の移動軌跡である円弧面内から後退する。それに伴い復動阻止部５３ｂに接触して復動を阻止されていたロック部材４４も復動阻止部５３ｂに接触しながら自重により回動し、前記復動阻止部５３ｂがロック部材４４の移動軌跡の円弧面内から完全に後退すると、ロック部材４４が規制片５７により規制され、係止部５４が係合部５３ａに対向して係合可能な所定位置に復動する。このとき、係止部５４及び係合部５３ａは接触状態でないため、ロック部材４４の復動も抵抗なくスムーズとなる。そして、球供給路３５，３５にパチンコ球が貯留可能となり、パチンコ球が供給され貯留されても、係止部５４及び係合部５３ａが接触係合し、可動弁板５３がロック部材４４により固定保持され回動不能となる。
【００３２】
このように、可動弁板４３が球抜状態において、ロック部材４４の移動軌跡内に干渉する復動阻止手段（復動阻止部５３ｂ）を設けて、前記復動阻止部５３ｂによりロック部材４４の復動を阻止するようにしたので、ロック部材４４を操作する球抜操作を一度行えば球抜終了時に可動弁板４３が球抜口４１を閉塞すると共に、ロック部材４４が自動的に復動して可動弁板４３を回動不能状態とすることができる。このため、可動弁板４３が球抜口４１を開放したままになる不具合がなく、特にホール等で多くのパチンコ遊技機の球抜きを行う球抜き作業が簡単となり作業効率が著しく改善される。なお、可動弁板４３及びロック部材４４の軸支方向は実施の形態に限定されるものではなく、機構板１５又は球の流下方向に対して直交又は平行状に設けるようにしてもよい。さらに、可動弁板４３及びロック部材４４の軸支方向を異ならせてもよいのはいうまでもない。
【００３３】
次に球止め作用について説明する。各球供給路３５，３５のパチンコ球の流下を阻止するには、球抜操作と同様に図５鎖線に示すようにロック部材４４の操作片５５を一旦反時計回りに回動してカム片５３をフリー状態とし、次にカム片５３の操作部５３ｄを操作して、図９に示すように可動弁板４３の板状部４３ａを球供給路３５，３５内に進入させた状態で、前記ロック部材４４を復動して係止部５４を係合部５３ｃに接触係合させ、可動弁板４３を球止状態に保持する。この状態では、板状部４３ａが球供給路３５，３５内に進入することで各球供給路３５，３５の通路幅がパチンコ球の径より狭くなり、しかも段部５１により各球供給路３５，３５のパチンコ球は流下できず球止される。このとき板状部４３ａに球圧が掛かっても、ロック部材４４の軸３８に向って荷重がかかるため球止状態が解除されることはない。そして、この球止状態を解除するには、再度ロック部材４４を反時計回りに回動して、係止部５４と係合部５３ｃとの係合を解除して板状部４３ａを球供給路３５，３５から後退させて、球抜口４１を閉塞する第一位置に回動変位して、ロック部材４４を復動させて係止部５４を係合部５３ａに係合させることにより、球止めが解除されパチンコ球が各球供給路３５，３５を流下し得るようになる。
【００３４】
前記実施の形態において、ロック部材４４と検知用レバー３７の揺動軸３８と同軸上としたが、図１０に示すように可動弁板４３の重錘部４９上方に位置してロック部材４４を軸５８により揺動自在に設けるようにしてもよく、後側壁３３と前側壁３２との間に収めることができ、コンパクト化することができる。この実施の形態において、前記実施の形態と異なる点は、ロック部材４４に可動弁板４３の球止位置に係止する係止突部６２を設け、重錘部４９上面を係合部５９としており、常態でロック部材４４の係止部５４が係合部５９に係止して、可動弁板４３が球抜口４１を閉塞する第一位置に固定保持されるようにしている。このとき、可動弁板４３の自重により板状部４３ａが球供給路３５内に入り込まないようにする小突起１０８等の仮止め手段を設けるのが好ましい。なお、仮止め手段の設置個所及び形状は限定されることなく、板状部４３ａを直接仮止めするようにしてもよい。
【００３５】
そして、球抜操作は、前記実施の形態と同様にパチンコ遊技機の前面に設けられた操作開口１１に針金等の操作棒Ｓを挿通してロック部材４４を揺動させ、係止部５４の係止を解除して、図１０鎖線に示すように可動弁板４３が揺動して球抜口４１を開放する。このとき、球荷重で可動弁板４３がさらに揺動することで、ロック部材４４の揺動面内に重錘部４９が入り込み、さらにロック部材４４を揺動させる。球抜きが終了すると、可動弁板４３が自重により同図実線位置に復動し、それに伴いロック部材４４も重錘部４９に接触しながら復動して、係止部５４が可動弁板４３の係合部５９に接触位置して可動弁板４３の第一位置を係止保持し、パチンコ球が球供給路３５，３５に貯留可能となる。このとき、検知用レバー３７が球供給路３５，３５内に臨んで光電式スイッチ４０を遮蔽板３９が光軸を遮ることにより、前記球切れ報知ランプ１３が点灯又は点滅して球切れを報知することから、該球切れ報知ランプ１３を球抜きが確実に終了したかを確認する確認手段とすることができる。つまり、球切れ報知ランプ１３が点灯又は点滅しなければ、何らかの原因で球抜きの途中で可動弁板４３及びロック部材４４が復動して、球抜口４１を閉鎖してまだ球供給路３５にパチンコ球が残っていることになるため、再度球抜き操作を行うことにより確実に球抜きすることができる。
【００３６】
この実施の形態の球止操作は、図１１鎖線に示すように前記小突起１０８を乗り越えて、可動弁板４３を球抜方向と異なる方向である球供給路３５方向に移動させて、可動弁板４３を小突起１０８に圧着して仮止めすると、可動弁板４３の板状部４３ａが球供給路３５，３５内に進入して各球供給路３５，３５の通路幅がパチンコ球の径より狭くなりパチンコ球が流下できないようになる。そして、ロック部材４４を操作して係止突部６２を係合部５９に係止することで球止状態を保持する。この状態で板状部４３ａに球圧が掛かっても、ロック部材４４の軸５８に向って荷重がかかるため球止状態が解除されることはない。そして、この球止状態を解除するには、ロック部材４４を操作して係止突部６２と係合部５９の係合を解除して、係合部５９を係止部５４に係合させることで可動弁板４３を第一位置に係止して球止状態が解除される。なお、可動弁板４３に前記小突起１０８が嵌る凹部を設けて、小突起１０８を凹部に嵌めて、可動弁板４３を球止位置で係止保持させるようにしてもよい。また、規制手段の設置個所及び形状は限定されることなく、板状部４３ａを直接仮規制するようにしてもよい。例えば、可動弁板４３の側面に突起を設け、該突起と相対する屈曲誘導樋２３の側板部又は機構板１５に、可動弁板４３の球抜き時の回動範囲を規制するように該突起が移動し得るガイド溝を設けてもよい。球止時には、前記突起を前記ガイド溝から外れるように移動させて、該突起が屈曲誘導樋２３の側板部又は機構板１５に押圧することによって球止位置を仮止めすることも可能であり、前記ガイド溝から外れた位置に前記突起が嵌る凹部を設けて、該凹部に突起が嵌ることで球止位置を係止保持するようにしてもよい。前記可動弁板４３及びロック部材４４は、互いに滑りのよい材質により成形するのが好ましい。
【００３７】
また、上記実施の形態において、球抜口４１を湾曲通路部３５ａと垂直通路部３５ｂ間の底面に設けるようにしたが、球抜口４１は球供給路３１，３５の始端部から終端部のどの位置に設けるようにしてもよく、湾曲通路部３５ａ又は垂直通路部３５ｂの側壁であっても球供給路３５の終端部である球払出装置２４との接続部であってもよい。さらに、球タンク２０に球供給路を設けて該球タンク２０に球抜口４１を開設して本発明の球抜装置を設けることも可能である。
【００３８】
図１２及び図１３に、垂直通路部３５ｂの一側壁３５１に球抜口４１を形成した球抜装置４５の実施の形態を示す。球抜口４１は、同時に複数個のパチンコ球が球抜きされる大きさが選ばれる。なお、前記実施の形態と異なる構成は、主に球止手段であるため同じ構成要素には同一符号を付して説明する。この実施の形態において、図１２に示すように垂直通路部３５ｂを、球抜きされる最先のパチンコ球と該パチンコ球を支持するパチンコ球の球心がずれるようにして、球抜きされる最先のパチンコ球の球心が可動弁板４３側となるように僅かに屈曲させている。可動弁板４３は、常態では重錘部４９により球抜口４１を板状部４３ａで閉塞するように軸支４８され、ストッパー片４３ｂにより通路３５ｂ側への回動を規制すると共に、前記重錘部４９が復動阻止部となり側面を係合部５９としている。一方、ロック部材４４は、一端に係止部５４が形成され、操作片５５の荷重により該係止部５４が前記係合部５９に係合するように軸支５８され、可動弁板４３が球抜口４１を閉塞する第一位置を固定保持するようにしている。このとき、前記重錘部４９の荷重は前記操作片５５の荷重より大きく設定され、かつパチンコ球１個の荷重より小さく設定されている。また、裏板３３には、可動弁板４３が移動して嵌る切り溝６１が形成されており、可動弁板４３の支軸４８は裏板３３に突出して設けられた支持片３３ａに支持されている。
【００３９】
この実施の形態の球止手段は、前記可動弁板４３の側端及び仕切壁３４に対応すると共に球供給路３５に連続して待機するパチンコ球間に突出するように位置に爪状の球止片６０を形成し、可動弁板４３を球抜方向と異なる支軸４８に沿って移動するようにしている。また、外板３２には前記球止片６０が移動し得る円弧溝６４が形成されている。常態では球止片６０，６０が球供給路３５，３５から後退して、パチンコ球が球供給路３５，３５を流下し得る状態にある。６３は可動弁板４３を球止操作する操作ピンである。
【００４０】
次に、上記球抜装置４５の球抜操作について説明する。前記実施の形態と同様に、パチンコ遊技機の前面側からの操作棒Ｓ又は裏面側から直接操作片５５を操作して、係止部５４と係合部５９の係合を解除すると、可動弁板４３の板状部４３ａが垂直通路部３５ｂのパチンコ球の荷重により押されて、可動弁板４３が図１２鎖線で示す球抜口４１を開放する第二位置に揺動し、球供給路３５，３５のパチンコ球が球抜路４２に球抜きされる。そして、球抜口４１からパチンコ球が球抜きされている状態では、前記ロック部材４４は、重錘部４９により復動を阻止されている。なお、前記ストッパー片４３ｂは、球抜き状態で連続して球抜きされるパチンコ球間に隙間が生じても、球抜きされるパチンコ球が必ず接触するように作用が働き、球抜き中に可動弁板４３が閉塞動作して球抜口４１を閉塞することがなく、最後まで確実に球抜きが行われる。
【００４１】
球抜きが終了すると、可動弁板４３が重錘部４９の荷重により揺動復帰して球抜口４１を閉塞すると共に、可動弁板４３の復動により一旦揺動したロック部材４４が操作片５５の荷重により揺動復帰して、係止部５４が可動弁板４３の係合部５９に係合し、可動弁板４３の揺動を阻止する。なお、球抜口４１を垂直通路部３５ｂに開設するようにしたが、該通路部は傾斜状であってもよい。
【００４２】
そして、この実施の形態の球止操作は、先ず操作ピン６３を手前に引いて、図１３に示すように可動弁板４３を切り溝６１に嵌めて可動弁板４３の回動を阻止し、前記球止片６０，６０を球供給路３５，３５内に進入させるだけで、球供給路３５，３５のパチンコ球は球止片６０，６０により簡単に球止される。なお、可動弁板４３の軸支方向への移動範囲は、前記回動軸４８を軸支する支持片３３ａによって規制され、この球止状態のとき球供給路３５のパチンコ球が可動弁板４３に当然支持されており、係止部５４と係合部５９は係合状態である。このとき、パチンコ球の流下方向と球止片６０の移動方向が直交することから、球止状態が容易に解除されることはない。次に、球止めを解除するには、切り溝６１に嵌った可動弁板４３を球供給路３５側に押し込んで切り溝６１から外し、球止片６０，６０を球供給路３５，３５から後退させるだけで球止めが解除され、球供給路３５，３５をパチンコ球が流下し得るようになる。なお、可動弁板４３が常態で支軸４８方向に移動してパチンコ球の流下を阻止しないように、可動弁板４の支軸４８方向への移動を規制するストッパーを設けるのが好ましい。例えば操作ピン６３を規制するストッパーを別途設けたり、ロック部材４４にストッパーを設けて可動弁板４３が切り溝６１に嵌らないようにしたりすればよく、球止時に該ストッパーを解除して可動弁板４３を軸支４８方向に移動させるようにすればよい。
【００４３】
なお、前記実施の形態において、可動弁板４３を切り溝６１に嵌めるようにして可動弁板４３の回動を阻止するようにしたが、切り溝６１を設けることなく予め球止片６０の移動寸法分可動弁板４３の幅寸法を縮幅して形成し、屈曲誘導樋２３の球供給路３５，３５範囲内で可動弁板４３が移動し得るようにしてもよい。当然のことながら、球止片６０が後退しているときには板状部４３ａでパチンコ球の球心を支持して、パチンコ球が流下するようにするのがよい。そして、球止操作により可動弁板４３を支軸４８に沿って移動させて球止片６０が球供給路３５内に突入して球止状態となる。
【００４４】
なお、球誘導樋２２及び屈曲誘導樋２３の球供給路３５の通路幅をパチンコ球１個分の通路幅としたが、パチンコ球がランダムに並ぶ幅広としてもよい。例えば、図１４及び図１５に示すように上流側をパチンコ球が複列又は半複列で流下し得る２１ｍｍ〜２４ｍｍの通路幅として、湾曲部によりパチンコ球がほぼ１列で流下する１２ｍｍ〜１５ｍｍとしてもよい。なお、この通路幅に限定されるものではなく、上流側をパチンコ球が３球乃至５球並び得る通路幅としてもよい。
この実施の形態において、球抜口４１は漸次通路幅を狭くする湾曲部に開設されており、該球抜口４１を閉塞するように可動弁板４３が揺動自在に配設され、該可動弁板４３に球抜き検知機能１０５を付加するようにしている。そして、前記可動弁板４３の揺動を規制するロック部材４４が、可動弁板４３の軸支部４８上方に位置して揺動自在に軸支されている。該ロック部材４４に可動弁板４３の球止位置に係止する係止突部６２を設け、重錘部４９上面を係合部５９として、常態でロック部材４４の係止部５４が係合部５９に係止して可動弁板４３が球抜口４１を閉塞する第一位置を固定保持するようにしている。このように構成された球抜装置４５は、ロック部材４４の操作により係止部５４と係合部５９の係合が解除され、図１４鎖線に示すように可動弁板４３が通路部のパチンコ球の荷重により揺動し球抜路４２に球抜きされる。このとき、ロック部材４４は可動弁板４３により復動を阻止され、球抜き検知スイッチ１０５がオンして球抜き状態を報知するようにしている。そして、球抜きが終了すると荷重から解放された可動弁板４３が復動し、それに伴ってロック部材４４が復動し係止部５４が係合部５９に係合して可動弁板４３の揺動を規制阻止することになる。
【００４５】
次に球止操作は、図１５鎖線に示すように前記可動弁板４３の板状部４３ａを球供給路３５内に進入させて前記係止突部６２を係合部５９に係合させて、可動弁板４３の先端部を球供給路３５の通路幅がパチンコ球の径より小となるようにした状態に係止保持して、パチンコ球の流下を阻止することができる。但し、この球止操作時にも可動弁板４３が可動して前記球抜き検知スイッチ１０５が作用しそうなるが、球供給路３５内に進入する板状部４３ａの移動範囲に比べて、重錘部４９側の可動範囲が小さいため、該球抜き検知スイッチ１０５が作用することはない。この球止状態の解除は、ロック部材４４を操作して前記係止突部６２と係合部５９の係合を解除し、係止部５４を係合部５９に係合させることで、球止状態が解除され球供給路３５内をパチンコ球が流下し得るようになる。
【００４６】
図１６に球止手段の他の実施の形態について説明する。この実施の形態は、ロック部材４４に球止手段６５を設けている。具体的には、屈曲通路部３５ａに開設された開口６８から侵入する球止片１０９が、前記球供給路３５に連続して待機するパチンコ球間に突出するように位置して形成されている。そして、常態ではロック部材４４は小突起１１０により回動を規制され、屈曲通路部３５ａへの侵入を阻止されている。この状態で球抜きするには、ロック部材４４を図１６（ａ）鎖線に示すように操作して、係合部５９と係止部５４との係合を解除して、板状部４３ａ上のパチンコ球の荷重により可動弁板４３が回動し、球供給路３５のパチンコ球が球抜路４２に球抜きされる。そして、球抜きが終了すると自重で可動弁板４３が球抜口４１を閉鎖して、それに伴い該可動弁板４３に復動を阻止されていたロック部材４４が自動復帰して、球抜口４１の閉塞状態を保持する。
【００４７】
次に球止操作について説明する。まず、ロック部材４４を小突起１１０の規制を超える力で操作して、図１６（ｂ）に示すように、球止片１０９を開口６８から屈曲通路部３５ａ内に突出させると、該球止片１０９が屈曲通路部３５ａのパチンコ球間にスムーズに侵入して球供給路３５のパチンコ球を球止めすることができる。このとき、係合部５９が保持部としての働きをなして係止部５４に形成された凹部１１１に嵌り、確実に球止状態を保持する。この球止状態を解除するには、係合部５９と凹部１１１の係合を解除して、球止片１０９が屈曲通路部３５ａから後退するようにロック部材４４を回動させ、係合部５９と係止部５４とを係合させることで、球止状態を解除して球供給路３５をパチンコ球が流下し得る状態となる。
【００４８】
なお、本発明は実施の形態に限定されるものではなく、多種に変更可能である。例えば実施の形態においてロック部材４４を揺動自在に軸支するようにしたが、例えばロック部材４４をガイド部等により規制して直線方向に移動自在に設けるようにしてもよい。具体的にはロック部材を常には自重により下方に位置して可動弁板と接触係合するようにして、可動弁板を球抜口が閉塞する第一位置に保持し、球抜操作により該ロック部材を上動して可動弁板との係止を解除し、球荷重により球抜口を開放する第二位置に揺動した可動弁板の規制阻止部がロック部材の移動軌跡内に干渉することでロック部材と接触してロック部材の復動を阻止し、球抜きが終了して可動弁板が球荷重から解放されて第一位置に復動変位するのに伴いロック部材も可動弁板に接触しながら自重により復動して、常態である可動弁板と接触係合して可動弁板を球抜口が閉塞する第一位置に保持するようにすればよい。
【００４９】
また、上記した可動弁板及びロック部材を自重により球抜口を閉塞する位置に付勢し復動するようにしたが、可動弁板及びロック部材の少なくとも一方をスプリング等の付勢部材の付勢力によって復動するようにしてもよい。但し可動弁板を付勢部材の付勢によって復動するようにした場合には、該付勢部材の付勢力はパチンコ球１個の荷重で可動板が球抜口を開放するように可動する程度の付勢力が好ましい。なお、可動弁板及びロック部材をリンク部材等の別部材を介して作用させるようにしてもよい。また、球止状態を保持する保持手段は、可動弁板及びロック部材に限られることなく、別途部品を設けて球止状態を保持するようにしてもよい。
【００５０】
さらに、実施の形態において、球抜装置４５の構成を一回の球抜き操作で球抜終了後に可動弁板が閉状態に自動復帰するようにしたが、従来の球抜装置のように球抜開始操作と可動弁板の閉状態への復帰操作とを行うようにしてもよい。
【００５１】
また、実施の形態においてパチンコ遊技機の前面側から操作棒Ｓにより球抜き操作を行い、ロック部材４４を操作するようにしたが、パチンコ遊技機の裏面側で直接ロック部材４４を操作するようにしてもよいのは言うまでもない。また、球抜操作をソレノイド，モータ等の電気的駆動源を使用して行うようにしてもよく、例えば図１６に示したロック部材４４に長孔を形成し、ソレノイドのプランジャに設けた連繋ピンを該長孔と連係するようにして、ソレノイドの励磁により同図（ａ）鎖線位置に作用させるようにすればよい。但し、この実施の形態においてロック部材４４に球止片１０９を備えているため、ロック部材４４の長孔に狭窄部を介してプランジャの連繋ピンが嵌る係止孔を開設するのが好ましい。そして、球止片１０９を球供給路３５に突出して球止めする時に、連繋ピンを前記係止孔に狭窄部を介して嵌めるようにすればソレノイドの励磁に関係なくロック部材４４を作用させることができる。
【００５２】
なお、実施の形態においてパチンコ遊技機を説明したが、「パチンコ遊技機」とは所謂パチンコ球を使用して遊技をする遊技機であり、例えばアレパチ，雀球はもちろんのこと、パチンコ球を賭数として回収して遊技するパチロットであってもよい。
【００５３】
【発明の効果】
以上説明したように本発明によれば、球供給路の球抜装置に該球供給路のパチンコ球の流下を阻止する球止手段を兼備えるようにしたので、従来に比べ部品点数を少なくすることができ、コストの低減を図ると共に組付けの作業性をよくすることができる。具体的には、抜取口を開閉する可動弁板を球抜方向と異なる方向である球供給路内に移動させるだけで、球供給路をパチンコ球が通過し得ない通路幅として球止することができる。また、可動弁板に球止片を設けて該可動弁板を球抜方向と異なる方向に移動して、前記球止片を球供給路内に進入させて球止めすることができる。
【図面の簡単な説明】
【図１】パチンコ遊技機の正面図である。
【図２】パチンコ遊技機の裏面図である。
【図３】屈曲誘導樋の斜視図である。
【図４】屈曲誘導樋の一部分解斜視図である。
【図５】屈曲誘導樋部分の正面図である。
【図６】図５の正面断面図である。
【図７】図５の平面断面図である。
【図８】図５の側断面図である。
【図９】球止状態を一部断面にして示す屈曲誘導樋部分の正面図である。
【図１０】他の実施の形態の屈曲誘導樋部分の正面断面図である。
【図１１】図１０の球止状態を示す正面断面図である。
【図１２】さらに他の実施の形態の屈曲誘導樋部分の正面断面図である。
【図１３】図１２の側断面図である。
【図１４】他の実施の形態の球供給路部分の正面断面図である。
【図１５】図１４の球止め作用を示す正面断面図である。
【図１６】（ａ），（ｂ）は他の実施の形態の球抜き及び球止めの作用を示す説明図である。
【符号の説明】
７                上部球受皿
８                下部球受皿
２０              球タンク
２３              屈曲誘導樋
２４              球払出装置
３１              球供給路
３５              球供給路
４１              球抜口
４２              球抜路
４３              可動弁板（球止手段）
４４              ロック部材
４５              球抜装置
４８              支軸
５３              カム片
５３ｃ            係合部
５９              係合部（保持部）
６０              球止片（球止手段）
６２              係止突部
６５              球止手段
１０９            球止片（球止手段）
１１１            凹部
【図１】
2004154184.tif 000003
【図２】
2004154184.tif 000004
【図３】
2004154184.tif 000005
【図４】
2004154184.tif 000006
【図５】
2004154184.tif 000007
【図６】
2004154184.tif 000008
【図７】
2004154184.tif 000009
【図８】
2004154184.tif 000010
【図９】
2004154184.tif 000011
【図１０】
2004154184.tif 000012
【図１１】
2004154184.tif 000013
【図１２】
2004154184.tif 000014
【図１３】
2004154184.tif 000015
【図１４】
2004154184.tif 000016
【図１５】
2004154184.tif 000017
【図１６】
2004154184.tif 000018